(57)【特許請求の範囲】
【請求項１】
浴室の天井に浴室乾燥機が設けられた浴室乾燥機付きユニットバスであって、
前記浴室乾燥機は、
前記浴室内の空気を吸い込む吸込部と、
前記吸込部から吸い込まれた空気を流す内部流路と、
前記内部流路を流れた空気を長手方向に設けられる開口から前記浴室内に吹き出す吹出部と、を備え、
前記吹出部は、前記開口の一部を閉塞する閉塞手段を有し、前記開口から前記浴室内に吹出す空気の吹出方向を、前記天井の一方の下方と、前記天井の一方と対向する他方の下方とに変更可能であり、
前記吹出部の長手方向において、当該吹出部の一端から前記天井の一方の端までの距離と、当該吹出部の他端から当該天井の当該一方と対向する他方までの距離と、はいずれも当該吹出部の長手方向の寸法よりも小さく形成され、
前記閉塞手段は、一部材であり、前記吹出部の長手方向において、当該吹出部の端部側の開口および中央側の開口を完全に閉塞することと、当該中央側の開口を完全に閉塞するとともに当該端部側の開口の少なくとも一部を開くことと、当該端部側の開口を完全に閉塞するとともに当該中央側の開口の少なくとも一部を開くこととが可能なように構成され、
前記開口から前記浴室内に吹出す空気の吹出方向が前記天井の一方の下方または前記天井の一方と対向する他方の下方に向かい、かつ前記吹出部の長手方向における前記中央側の開口が閉じられたときに、当該吹出部の端部側の開口からの空気が、前記浴室の隅に到達するように吹き出されることを特徴とする浴室乾燥機付きユニットバス。
【請求項２】
前記吹出部の短手方向において、前記天井の一端部から他端部までの領域を３等分して見た場合に、前記一端部側の領域に設けられ、前記吸込部は前記他端部側の領域に設けられるよう構成されていることを特徴とする請求項１に記載の浴室乾燥機付きユニットバス。
【請求項３】
前記閉塞手段は、
モータで駆動される回転部材で構成されることを特徴とする請求項１または請求項２に記載のユニットバス。
【発明の詳細な説明】
【技術分野】
【０００１】
本発明は、浴室の天井に浴室乾燥機が設けられた浴室乾燥機付きユニットバスに関する。
【背景技術】
【０００２】
浴室内に気流を生成することで、浴室内を乾燥させる浴室乾燥機が広く普及している。このような浴室乾燥機では、ファンの駆動により浴室内の空気を吸い込み、当該空気を浴室内に吹き出して戻すものが一般的である。浴室内を循環する気流により、浴室内の残水の蒸発が促され、カビの発生を抑制することができる。
【０００３】
浴室乾燥機は、一般的に装置全体がユニット化されており、浴室の天井にユニット全体を嵌め込むことにより構成される。例えば、下記特許文献１に開示される浴室乾燥機も、ユニット状の本体を浴室の天井パネルの中央に嵌め込むことにより取り付ける構成である。
【先行技術文献】
【特許文献】
【０００４】
【特許文献１】特開平８−１４５５５９号公報
【発明の概要】
【発明が解決しようとする課題】
【０００５】
ところで、特許文献１に示されるようなユニット式の浴室乾燥機は、吹出口と吸込口の間の距離が小さいことから、吹出口から吹出す空気により浴室内に形成される気流が、浴室の床面等に到達することなく吸込口に向かって進行してしまうショートサーキット現象を起こし得る。
【０００６】
しかしながら、浴室内においては、入浴者が洗身や洗髪を行う場所である洗い場の隅部や、天井の隅部などでカビの発生が顕著となる。このため、浴室乾燥機は、浴室の床面、壁面、及び天井の中央部はもちろん、それらの隅部にも気流を行きわたらせ、残水の蒸発を促す必要がある。特許文献１においても、ショートサーキット現象に対する課題は提示されているが、その解決手段は、吸込口と吹出口との間に遮蔽パネルを設け吹出口から吹き出される温風の方向を可変にすることで吹出口から吹き出された温風が直接吸込口に吸い込まれるのを防止し、効率的な衣類乾燥を目的とするものに過ぎず、浴室全体に気流を行きわたらせるような構成にはなっていない。
【０００７】
本発明はこのような課題に鑑みてなされたものであり、その目的は、空気を吹き出して形成する気流を浴室の隅部まで行きわたらせ、浴室内を乾燥させることが可能な浴室乾燥機付きユニットバスを提供することにある。
【課題を解決するための手段】
【０００８】
上記課題を解決するために、本発明に係る浴室乾燥機付きユニットバスは、浴室の天井に浴室乾燥機が設けられた浴室乾燥機付きユニットバスであって、前記浴室乾燥機は、前記浴室内の空気を吸い込む吸込部と、前記吸込部から吸い込まれた空気を流す内部流路と、前記内部流路を流れた空気を長手方向に設けられる開口から前記浴室内に吹き出す吹出部と、を備え、前記吹出部は、前記開口の一部を閉塞する閉塞手段を有し、前記開口から前記浴室内に吹出す空気の吹出方向を、前記天井の一方の下方と、前記天井の一方と対向する他方の下方とに変更可能であり、前記吹出部の長手方向において、当該吹出部の一端から前記天井の一方の端までの距離と、当該吹出部の他端から当該天井の当該一方と対向する他方までの距離と、はいずれも当該吹出部の長手方向の寸法よりも小さく形成され、前記閉塞手段は、一部材であり、前記吹出部の長手方向において、当該吹出部の端部側の開口および中央側の開口を完全に閉塞することと、当該中央側の開口を完全に閉塞するとともに当該端部側の開口の少なくとも一部を開くことと、当該端部側の開口を完全に閉塞するとともに当該中央側の開口の少なくとも一部を開くこととが可能なように構成され、前記開口から前記浴室内に吹出す空気の吹出方向が前記天井の一方の下方または前記天井の一方と対向する他方の下方に向かい、かつ前記吹出部の長手方向における前記中央側の開口が閉じられたときに、当該吹出部の端部側の開口からの空気が、前記浴室の隅に到達するように吹き出されることを特徴としている。
【０００９】
本発明に係る浴室乾燥機付きユニットバスによれば、吹出部が、開口の一部を閉塞する閉塞手段を備えているため、浴室の乾きにくい部分の風量を多くすることができる。これによって、たとえば、浴室内隅などの空気が滞留し乾燥しにくい箇所においてもカビの発生を抑えることができる。
【００１０】
また本発明に係る浴室乾燥機付きユニットバスでは、前記吹出部の長手方向において、当該吹出部の一端から前記天井の一方の端までの距離と、前記吹出部の他端から前記天井の前記一方と対向する他方までの距離と、はいずれも前記吹出部の長手方向の寸法よりも小さいことも好ましい。
【００１１】
この好ましい態様では、吹出部の長手方向寸法に対して、吹出部の各端部から浴室の各壁面までの距離を小さくしたことで、吹出部から吹き出した空気は、各壁面近傍の空気を巻き込みながら、幅広のカーテン状の気流を形成するため、気流を浴室内の広範囲に行きわたらせ、乾燥させることが可能となる。
【００１２】
また本発明に係る浴室乾燥機付きユニットバスでは、前記閉塞手段は、前記吹出部の長手方向において、当該吹出部の端部側の開口を開き、中央側の開口を閉塞するように構成されていることも好ましい。
【００１３】
この好ましい態様では、天井の端部の風量を多くすることができる。これによって、浴室の内隅への風量を多くすることができ、カビの発生を抑制することが可能となる。
【００１４】
また本発明に係る浴室乾燥機付きユニットバスでは、前記吹出部の短手方向において、前記天井の一端部から他端部までの領域を３等分して見た場合に、前記一端部側の領域に設けられ、前記吸込部は前記他端部側の領域に設けられるよう構成されていることも好ましい。
【００１５】
この好ましい態様では、まず、吹出部の短手方向に３等分して見た天井の領域のうち、吹出部は一端部側の領域に設けられ、吸込部は当該一端部側の領域から最も離れた他端部側の領域に設けられるため、吹出部と吸込部とが吹出部の短手方向に大きく離間する。したがって、吹出部から吹き出す空気により形成される気流が、浴室の床面等に到達することなく吸込部に向かって進行してしまうショートサーキット現象の発現を抑制することができる。
【００１６】
また本発明に係る浴室乾燥機付きユニットバスでは、前記吹出部は、前記開口から前記浴室内に吹出す空気の吹出方向を、前記天井の一方の下方と、前記天井の一方と対向する他方の下方とに変更可能であることも好ましい。
【００１７】
この好ましい態様では、さらに、浴室乾燥機は、吹出部から空気を吹き出す方向を変更する風向変更手段を有しているため、天井の一方の下方と、天井の一方と対向する他方の下方と、を、吹き出す空気により形成される気流を浴槽と洗い場の双方に到達させ、浴室内を乾燥させることが可能となる。
【００１８】
また本発明に係る浴室乾燥機付きユニットバスでは、前記閉塞手段は、モータで駆動される回転部材で構成されることも好ましい。
【００１９】
この好ましい態様では、閉塞手段は吹出部の内部でモータによって回転する。このため、閉塞手段が吹出部から突出せず、意匠性に優れている。
【発明の効果】
【００２０】
本発明によれば、空気を吹き出して形成する気流を浴室の隅部にまで行きわたらせ、浴室内を乾燥させることが可能な浴室乾燥機付きユニットバスを提供することができる。
【図面の簡単な説明】
【００２１】
【図１】本発明の第１実施形態に係る浴室乾燥機付きユニットバスを表す斜視模式図である。
【図２】本発明の第１実施形態に係る浴室乾燥機付きユニットバスに設けられた浴室乾燥機の送気装置を表す斜視模式図である。
【図３】本発明の第１実施形態に係る浴室乾燥機付きユニットバスを表す平面視模式図である。
【図４】本発明の第１実施形態に係る浴室乾燥機付きユニットバスに設けられた浴室乾燥機の吹出口近傍を表す断面視模式図である。
【図５】本発明の第１実施形態に係る浴室乾燥機付きユニットバスの風量絞り用ルーバーの一例を示した模式図である。
【発明を実施するための形態】
【００２２】
以下、添付図面を参照しながら本発明の実施形態について説明する。理解を容易にするため、各図面において同一の構成要素に対しては可能な限り同一の符号を付し、重複する説明は省略する。
【００２３】
まず、図１を参照して、本発明の第１実施形態に係るユニットバスの概略を説明する。図１は、本発明の第１実施形態に係る浴室乾燥機付きユニットバスを表す斜視模式図である。
【００２４】
図１に表すように、浴室乾燥機付きユニットバス１は、ユニットバス２と、浴室乾燥機３と、を有している。
【００２５】
ユニットバス２は、正面パネル２１と、背面パネル２２と、左側面パネル２３と、右側面パネル２４と、床パネル２５と、天井パネル２６と、を有している。ユニットバス２の内部には、これら６枚のパネルによって囲まれる略直方体形状の浴室空間２０が形成されている。
【００２６】
以下、背面パネル２２から正面パネル２１にわたる方向（矢印Ｘ方向）を「奥行方向」という。また、奥行方向に直交する方向であって、左側面パネル２３から右側面パネル２４にわたる方向（矢印Ｙ方向）を「左右方向」という。さらに、床パネル２５から天井パネル２６にわたる方向を「上下方向」という。
【００２７】
浴室空間２０には、浴槽２Ｂが設けられている。浴槽２Ｂは、左右方向がその長手方向となるように設けられ、背面パネル２２寄りの位置に配置されている。床パネル２５の上面のうち、浴槽２Ｂよりも正面パネル２１側の部分は、入浴者が洗身や洗髪を行う場所となる洗い場２Ｗとされており、浴槽２Ｂと洗い場２Ｗとは奥行方向に並べられている。浴槽２Ｂと洗い場２Ｗが並べられることにより、浴室空間２０の下部には段差が生じることとなり、洗い場２Ｗの端部と、浴槽２Ｂのリム部２Ｂ１の端部とを繋ぐように、浴槽２Ｂの側面を隠す化粧板であるエプロン２Ｅが立設されている。
【００２８】
浴室乾燥機３は、吸気装置３１と、連通管３３と、送気装置３４と、を有しており、浴室空間２０の天井パネル２６に設けられている。吸気装置３１は、その下方に開設された吸込口３２から浴室空間２０の空気を吸い込み、その内部に取り込む装置である。送気装置３４は、吸気装置３１と左右方向に間隔を空けて配置されており、内部に取り込んだ空気を加熱し、その下方に開設された吹出口３５から浴室空間２０に吹き出す装置である。連通管３３は、吸気装置３１及び送気装置３４の内部に連通しており、吸気装置３１の内部に取り込まれた空気を、送気装置３４の内部に流す管状部材である。尚、図１では、吸気装置３１及び送気装置３４の内部構成の図示を省略している。また、図１の例では、浴槽２Ｂがその長手方向が左右方向となり、吸気装置３１及び送気装置３４がその長手方向が奥行方向となるように設けられているが、これに限定されない。たとえば、浴槽２Ｂと吸気装置３１及び送気装置３４とが平行となるように、浴槽２Ｂをその長手方向が奥行方向となるように設けてもよい。
【００２９】
浴室乾燥機３が運転することにより、浴室空間２０の空気は、吸気装置３１によって吸い込まれ、その後、送気装置３４によって浴室空間２０に吹き出して戻される。すなわち、浴室乾燥機３を介して浴室空間２０の空気が循環することとなる。循環しながら送気装置３４によって繰り返し加熱されることで、浴室空間２０の空気が昇温していく。
【００３０】
吸気装置３１の吸込口３２は、複数の孔３２ａが左右方向に互いに離間して１列に並べられることで構成されており、その外形は、左右方向を長手方向とする扁平形状となっている。同様に、送気装置３４の吹出口３５は、複数の孔３５ａが左右方向に互いに離間して１列に並べられることで構成されており、その外形は、左右方向を長手方向とする扁平形状となっている。吸込口３２の複数の孔３２ａが並べられる方向と、吹出口３５の複数の孔３５ａが並べられる方向とは、略平行とされている。吸込口３２と吹出口３５は、それぞれ空気の吸い込みと吹き出しを行うことにより、浴室空間２０に幅広のカーテン状の気流を形成する。
【００３１】
次に、図２を参照して、送気装置３４の構成について説明する。図２は、本発明の第１実施形態に係る浴室乾燥機付きユニットバスに設けられた浴室乾燥機の送気装置を表す斜視模式図である。
【００３２】
図２に表すように、送気装置３４は、ケーシング３６と、温風供給ユニット４０と、を有している。
【００３３】
ケーシング３６は、送気装置３４の筐体となる金属製箱体であり、その外形は奥行方向（矢印Ｘ方向）を長手方向とする略直方体形状を呈している。ケーシング３６の吸気装置３１側の側面には、ケーシング３６の内部に連通する連通口３７が開設されており、連通管３３の端部がこの連通口３７に接続されている。
【００３４】
温風供給ユニット４０は、空気を加熱して浴室空間２０に吹き出すためのユニットであり、ケーシング３６の内部に配置されている。温風供給ユニット４０は、ファン４１と、パイプ４３と、を有している。また、パイプ４３の内部には、３つのヒータ４４ａ、４４ｂ、４４ｃが配置されている。
【００３５】
ファン４１は、電力の供給を受けて運転する電動送風機であり、ここでは遠心型ファンを採用している。ファン４１は、電力の供給を受けるとモータ（図示せず）が回転駆動し、その出力軸に固定されたシロッコファン（図示せず）が、上下方向に延びる軸を中心として回転する。これにより、上方に向けて開口する吸引口４１ａから空気が吸引され、左右方向で右側面パネル２４側に向けて吹き出される。
【００３６】
パイプ４３は、ファン４１と奥行方向（矢印Ｘ方向）に隣り合うように配置された金属製の管状部材である。パイプ４３は、ファン４１とは反対側の端部４３ｂが閉塞されている一方で、ファン４１側の端部４３ａが開放されている。これにより、ファン４１が吹き出した空気は、端部４３ａからパイプ４３の内部に流入する。後述するように、パイプ４３の内部には、ルーバー４６１（図２では図示せず）が回動自在に設けられている。
【００３７】
ケーシング３６の内部は、パイプ４３が配置されることにより、パイプ４３の外部の第１内部流路４０１と、第１内部流路４０１の下流側の流路であってパイプ４３の内部の第２内部流路４０２とに区画される。すなわち、連通口３７からケーシング３６の内部に取り込まれ、第１内部流路４０１を左右方向で左側面パネル２３側に向かって流れた空気は、ファン４１によって吹き出され、折り返すようにして第２内部流路４０２を左右方向で右側面パネル２４側に向かって流れることになる。
【００３８】
ヒータ４４ａ、４４ｂ、４４ｃは、いずれも、第２内部流路４０２の吹出口３５の近傍に配置され、電力の供給を受けて発熱する。また、ヒータ４４ａ、４４ｂ、４４ｃは、吹出口３５の長手方向（奥行方向）に沿って、互いに間隔を空けて並べられている。
【００３９】
次に、図３乃至図４を参照して、吸込口３２及び吹出口３５の配置と、それらによって浴室空間２０に形成される気流について説明する。図３は、本発明の第１実施形態に係る浴室乾燥機付きユニットバスを表す平面視模式図である。図４は、本発明の第１実施形態に係る浴室乾燥機付きユニットバスに設けられた浴室乾燥機の吹出口近傍を表す断面視模式図である。詳細には、図３は、ユニットバス２と、吸込口３２及び吹出口３５との位置関係を表す模式図であり、図４は、奥行方向に垂直な平面におけるパイプ４３の断面図である。
【００４０】
図３に表すように、左右方向（矢印Ｙ方向）において、天井パネル２６の端部２６Ｌ（左側面パネル２３側）から端部２６Ｒ（右側面パネル２４側）までの領域を、領域Ｙ１、Ｙ２、Ｙ３に３等分して見た場合に、吹出口３５は領域Ｙ１に設けられ、吸込口３２は領域Ｙ３に設けられている。換言すれば、天井パネル２６の左右方向寸法をＬｙとすると、吹出口３５は端部２６Ｌから距離Ｌｙ／３の範囲内に設けられ、吸込口３２は端部２６Ｒから距離Ｌｙ／３の範囲内に設けられている。
【００４１】
吹出口３５の長手方向である奥行方向（矢印Ｘ方向）において、吹出口３５の端部から正面パネル２１までの距離３５Ｘ１と、吹出口３５の端部から背面パネル２２までの距離３５Ｘ２は、いずれも吹出口３５の長手方向寸法３５Ｘよりも小さい。吹出口３５の一部は、後述する風量絞り用ルーバー４６２によって閉塞されている。図３の例では、吹出口３５の中央部分が閉塞されている。そのため吹出口３５の中央部分の空気も両端から吹出す。これによって、吹出口３５の両端の風量が増加し、乾きにくい浴室の隅の部分の風量を多くできる。
【００４２】
また、吸込口３２の長手方向である奥行方向（矢印Ｘ方向）において、吸込口３２の端部から正面パネル２１までの距離３２Ｘ１と、吸込口３２の端部から背面パネル２２までの距離３２Ｘ２は、いずれも吸込口３２の長手方向寸法３２Ｘよりも小さい。
【００４３】
図４に表すように、パイプ４３は、その下方の一部に切欠４３ｃを有している。また、その切欠４３ｃを覆うように、パイプ４３の内部には断面が円弧形状のルーバー４６１が設けられている。ルーバー４６１は、その一部に複数の孔３５ａが開設されており、パイプ４３の内部の第２内部流路４０２は、この複数の孔３５ａで構成される吹出口３５を介して浴室空間２０と連通している。
【００４４】
ファン４１（図２参照）によって吹き出され、パイプ４３の内部の第２内部流路４０２に流入した空気は、ルーバー４６１に開設された吹出口３５を上方から下方に通過し、浴室空間２０に吹き出す。この際、ヒータ４４ａ、４４ｂ、４４ｃ（図２参照）の近傍を通過する空気は、発熱して高温となっているヒータ４４ａ、４４ｂ、４４ｃからの熱伝達によって加熱され、高温となる。このため、空気はヒータ４４ａ、４４ｂ、４４ｃにより加熱された直後に、高温のまま浴室空間２０に吹き出す。
【００４５】
ルーバー４６１は、パイプ４３の中心軸Ｃを中心として、パイプ４３の内側面に沿って矢印Ｒで表す範囲で回動可能に構成されている。このルーバー４６１の回動により、吹出口３５が空気を吹き出す方向が所定範囲内で変化する。このため、送気装置３４は、吹出口３５から吹き出す空気により浴槽２Ｂに到達した後に吸込口３２に向かう気流と、洗い場２Ｗに到達した後に吸込口３２に向かう気流とを択一的に形成することができる。
【００４６】
さらに、図４に示すように、ルーバー４６１の内部には、断面が円形状であり、長手方向に開口が設けられた風量絞り用ルーバー４６２が設けられている。この風量絞り用ルーバー４６２によって吹出口３５の一部を閉塞することができる。また、風量絞り用ルーバー４６２はルーバー４６１とは独立して回動することができる。たとえば、風量絞り用ルーバー４６２は、モータ等で駆動される回転部材等によって構成されていることが好ましい。この風量絞り用ルーバー４６２の回動により、吹出口３５を閉塞する箇所を変更させ、吹出す空気の量及び空気が吹出す位置を調整することができる。
【００４７】
図５は風量絞り用ルーバー４６２の一例を模式的に示す図である。図５（Ａ）は徐変タイプの風量絞り用ルーバー４６２を、図５（Ｂ）は離散タイプの風量絞り用ルーバー４６２を示している。また、図５（Ａ）及び（Ｂ）に示す領域（ａ）、（ｂ）、（ｃ）の短手方向の幅はいずれも、ルーバー４６１の吹出口３５の短手方向の幅以下であることが望ましい。図５では一例として、領域（ａ）、（ｂ）、（ｃ）の短手方向の幅は吹出口３５の短手方向の幅より小さいものであるとして説明する。これによって、閉塞手段が吹出口３５から突出しないため、デザイン性を担保することができる。
【００４８】
図５（Ａ）は、徐変タイプの風量絞り用ルーバー４６２を示している。徐変タイプでは、図５（Ａ）に示すように、風量絞り用ルーバー４６２の中心に位置している開口Ａ１は、当該風量絞り用ルーバー４６２のパイプの中心軸Ｃと平行となるように開設されている。さらに端部側に位置している開口Ａ２及びＡ３は、中心軸Ｃに対して傾斜するように設けられている。その結果、図５（Ａ）の領域（ａ）には、端部側の開口Ａ２及びＡ３の少なくとも一部が含まれ、中心部の開口Ａ１は含まれない。また、図５（Ａ）の領域（ｂ）には、中心部の開口Ａ１の少なくとも一部が含まれ、開口Ａ２及びＡ３は含まれない。さらに、図５（Ａ）の領域（ｃ）には、開口は含まれない。
【００４９】
図５（Ｂ）には、離散タイプの風量絞り用ルーバー４６２が示されている。図５（Ｂ）の例では、風量絞り用ルーバー４６２の中心部に設けられている開口Ｂ１、端部に設けられている開口Ｂ２及びＢ３はいずれも同一の面積である。また、開口Ｂ１、Ｂ２及びＢ３はいずれも中心軸Ｃに対して平行に設けられている。さらに、開口Ｂ２及びＢ３は、中心軸Ｃと平行な開口Ｂ１の中線に、底辺が一致するように設けられている。その結果、図５（Ｂ）の領域（ａ）には、端部側の開口Ｂ２及びＢ３の少なくとも一部が含まれ、中心部の開口Ｂ１は含まれない。また、図５（Ｂ）の領域（ｂ）には、中心部の開口Ｂ１の少なくとも一部が含まれ、開口Ｂ２及びＢ３は含まれない。さらに、図５（Ｂ）の領域（ｃ）には、開口は含まれない。なお、図５に示した風量絞り用ルーバー４６２は一例であり、開口の大きさ、角度はこれに限定されない。
【００５０】
このように、風量絞り用ルーバー４６２が吹出口３５の一部を閉塞することによって、吹出口３５から吹出す空気の量を部分的に増加させることができ、これによって、浴室の乾きにくい部分の空気の量を多くすることができる。
【００５１】
以上のように構成された本発明の第１実施形態に係る浴室乾燥機付きユニットバスによれば、まず、左右方向（矢印Ｙ方向）に３等分して見た天井パネル２６の領域のうち、吹出口３５は領域Ｙ１に設けられ、吸込口３２は領域Ｙ１から最も離れた領域Ｙ３に設けられるため、吹出口３５と吸込口３２とが奥行方向に大きく離間する。これにより、吹出口３５から吹き出す空気により形成される気流が、ユニットバス２の床パネル２５等に到達することなく吸込口３２に向かって進行してしまうショートサーキット現象の発現を抑制することができる。
【００５２】
尚、ここでは、吹出口３５及び吸込口３２を、３等分して見た天井パネル２６の領域のうち、両端の領域に設けることとしているが、ショートサーキット現象の発現をより確実に抑制するためには、天井パネル２６の領域を４等分して見た場合の両端の領域に設けることがより好ましい。
【００５３】
また、吹出口３５から空気を吹き出す方向を変更するルーバー４６１を備えているため、吹出口３５が、その長手方向が奥行方向（矢印Ｘ方向。浴槽２Ｂと洗い場２Ｗとが並ぶ方向と直交する方向）に沿うように配置されている場合でも、吹き出す空気により形成される気流を浴槽２Ｂと洗い場２Ｗの双方に到達させ、浴室空間２０を乾燥させることが可能となる。
【００５４】
また、吹出口３５の端部から正面パネル２１までの距離３５Ｘ１と、吹出口３５の端部から背面パネル２２までの距離３５Ｘ２を、いずれも吹出口３５の長手方向寸法３５Ｘよりも小さくしたことで、吹出口３５から吹き出した空気は、正面パネル２１及び背面パネル２２近傍の空気を巻き込みながら、幅広のカーテン状の気流を形成する。これにより、気流を浴室空間２０の広範囲に行きわたらせ、乾燥させることが可能となる。
【００５５】
また、吸込口３２の端部から左側面パネル２３までの距離３２Ｘ１と、吸込口３２の端部から右側面パネル２４までの距離３２Ｘ２を、いずれも吸込口３２の長手方向寸法３２Ｘよりも小さくしたことで、吸込口３２により吸い込む浴室空間２０の空気は、正面パネル２１及び背面パネル２２近傍の空気を巻き込みながら、幅広のカーテン状の気流を形成するため、気流を浴室空間２０の広範囲に行きわたらせ、乾燥させることが可能となる。
【００５６】
また、吹出口３５の一部を閉塞する風量絞り用ルーバー４６２を備えているため、浴室の乾きにくい部分の風量を多くすることができる。これによって、たとえば、浴室内隅などの空気が滞留し乾燥しにくい箇所においてもカビの発生を抑えることができる。
【００５７】
また、風量絞り用ルーバー４６２が、モータ等で駆動される回転部材等によって構成されているため、吹出口３５から突出せず意匠性に優れている。
【００５８】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００５９】
１    ：浴室乾燥機付きユニットバス
２    ：ユニットバス
２Ｂ  ：浴槽
２Ｗ  ：洗い場
２６  ：天井パネル（天井）
３    ：浴室乾燥機
２０  ：浴室空間（浴室）
３２、３２３：吸込口（吸込部）
３２３ａ：開口
３５、３５１、３５２、３５３：吹出口（吹出部）
３５３ａ：開口
４０１：第１内部流路（内部流路）
４０２：第２内部流路（内部流路）
４６１：ルーバー（風向変更手段）
４６２：風量絞り用ルーバー（閉塞手段）
【図１】
0006519937.tif 000002
【図２】
0006519937.tif 000003
【図３】
0006519937.tif 000004
【図４】
0006519937.tif 000005
【図５】
0006519937.tif 000006